(57)【要約】【課題】両端から塵埃や昆虫が侵入するのを構造的に防止することのできる蛍光灯カバーを提供する。【解決手段】筒状に形成され内部を蛍光灯収容空間３とし、蛍光灯２の上部側を覆う反射フィルム部４と、蛍光灯２の下部側を覆う透光フィルム部５とを有する蛍光灯カバー１であって、透光フィルム部５の両端を蛍光灯２の長さよりも延出し、かつ透光フィルム部５の両端に蛍光灯２の両端面側に折り込まれる折込部５ａを設けた。【選択図】図１
2009283356.tif 000002
【特許請求の範囲】
【請求項１】
筒状に形成され内部を蛍光灯収容空間とし、蛍光灯の上部側を覆う反射フィルム部と、前記蛍光灯の下部側を覆う透光フィルム部とを有する蛍光灯カバーであって、
前記透光フィルム部の両端を前記蛍光灯の長さよりも延出し、かつ前記透光フィルム部の両端に前記蛍光灯の両端面側に折り込まれる折込部を設けたことを特徴とする蛍光灯カバー。
【請求項２】
前記折込部は、前記蛍光灯の両端部を被覆可能な長さであることを特徴とする請求項１に記載の蛍光灯カバー。
【請求項３】
筒状に形成され内部を蛍光灯収容空間とし、蛍光灯の上部側を覆う反射フィルム部と、前記蛍光灯の下部側を覆う透光フィルム部とを有する蛍光灯カバーであって、
前記反射フィルム部及び前記透光フィルム部のそれぞれの両端部から少なくとも前記蛍光灯の収容時における各口金部までスリットを形成し、前記反射フィルム部及び前記透光フィルム部のそれぞれの両端部を前記各口金部側に丸めたことを特徴とする蛍光灯カバー。
【請求項４】
筒状に形成され内部を蛍光灯収容空間とし、蛍光灯の上部側を覆う反射フィルム部と、前記蛍光灯の下部側を覆う透光フィルム部とを有する蛍光灯カバーであって、
前記蛍光灯の収容時において前記蛍光灯の両端かつ両側に対応する前記反射フィルム部と前記透光フィルム部を接合する接合部を設けたことを特徴とする蛍光灯カバー。
【請求項５】
前記接合部は、前記反射フィルム部及び前記透光フィルム部の両端に向けて開口幅が狭くなるように傾斜して形成されていることを特徴とする請求項４に記載の蛍光灯カバー。
【請求項６】
前記接合部は、前記反射フィルム部及び前記透光フィルム部の両端にスポット状に形成されていることを特徴とする請求項４に記載の蛍光灯カバー。
【請求項７】
前記反射フィルム部及び前記透光フィルム部の長さは、同一であることを特徴とする請求項３乃至６のいずれか一項に記載の蛍光灯カバー。
【請求項８】
前記反射フィルム部の曲率半径を、前記透光フィルム部の曲率半径より大きくしたことを特徴とする請求項１乃至７のいずれか一項に記載の蛍光灯カバー。
【請求項９】
前記反射フィルム部の厚さを、前記透光フィルム部の厚さより厚くしたことを特徴とする請求項１乃至８のいずれか一項に記載の蛍光灯カバー。
【請求項１０】
前記反射フィルム部は、電気絶縁性基材フィルム面に金属箔を積層又は金属蒸発膜を形成し、かつ当該金属面に絶縁性フィルムを被覆したことを特徴とする請求項１乃至９のいずれか一項に記載の蛍光灯カバー。
【発明の詳細な説明】
【技術分野】
【０００１】
本発明は、筒状に形成され、内部を蛍光灯収容空間とし、蛍光灯の外周を覆うフィルム部を有する蛍光灯カバーに関する。
【背景技術】
【０００２】
従来、例えば特許文献１に開示された照明ランプ被覆用反射フィルムは、紫外線吸収剤を配合することにより、少なくとも３８０ｎｍ以下の紫外線を実質的に遮蔽し、かつ４２０ｎｍ以上の波長の光を実質的に透過する機能を有する合成樹脂膜を合成樹脂フィルムにラミネートしてなるもの、及び光線反射膜とを具備してなる複合フィルムを、紫外線発光性照明に被覆することにより、簡便な操作で照明器の光度を増加させ、照明方向及び光度の調整を自由に行うようにするとともに、昆虫等の虫類の侵入を防止しようとするものである。
【０００３】
また、特許文献２に開示された蛍光灯カバーは、反射フィルム部の両側縁を、透光フィルム部の両側縁よりも延出して、両側縁部に透光フィルム部を透過して横へ逃げる光を反射する反射耳部を形成し、反射フィルム部のみで照らす場合に真下から水平方向に離れた位置では低下する明るさが、反射耳部で反射する光によって補われ、低下の程度が緩和されるようにしたものである。
【特許文献１】実公平３−３６００２号公報
【特許文献２】特開２０００−３１１５１１号公報
【発明の開示】
【発明が解決しようとする課題】
【０００４】
しかしながら、上述したそれぞれの従来例では、蛍光灯を被覆する蛍光灯カバーの両端は、単なる開口端面となることから、蛍光灯を被覆した後もカバー内部（蛍光灯収容空間）は外部と遮蔽されず、蛍光灯には外部の塵埃が侵入することとなり、蛍光灯の取付状態において上部に塵埃が堆積し、照度が低下するという問題がある。
【０００５】
また、上記従来例において特許文献２に開示された蛍光灯カバーは、両端が単なる開口端面であることから、飛来した昆虫がその開口端面から自由に侵入する問題がある。また、特許文献１に開示された照明ランプ被覆用反射フィルムは、透過層フィルムとして、昆虫類の誘引を防止するため、３８０ｎｍ以下の紫外線を吸収する紫外線吸収剤が配合されているものの、構造的に飛来した昆虫が開口端面から自由に侵入する。その結果、各従来例では、昆虫の死骸が蛍光灯の上部に堆積することとなり、不衛生になるという問題もある。
【０００６】
本発明は、上記課題を解決するためになされたものであり、その目的とするところは、両端から塵埃や昆虫が侵入するのを構造的に防止することのできる蛍光灯カバーを提供することにある。
【課題を解決するための手段】
【０００７】
上記課題を解決するため、本発明は次のような構成を採用する。
【０００８】
すなわち、請求項１に係る発明は、筒状に形成され内部を蛍光灯収容空間とし、蛍光灯の上部側を覆う反射フィルム部と、前記蛍光灯の下部側を覆う透光フィルム部とを有する蛍光灯カバーであって、前記透光フィルム部の両端を前記蛍光灯の長さよりも延出し、かつ前記透光フィルム部の両端に前記蛍光灯の両端面側に折り込まれる折込部を設けたことを特徴とする。
【０００９】
請求項２に係る発明は、請求項１に記載の蛍光灯カバーにおいて、前記折込部は、前記蛍光灯の両端部を被覆可能な長さであることを特徴とする。
【００１０】
請求項３に係る発明は、筒状に形成され内部を蛍光灯収容空間とし、蛍光灯の上部側を覆う反射フィルム部と、前記蛍光灯の下部側を覆う透光フィルム部とを有する蛍光灯カバーであって、前記反射フィルム部及び前記透光フィルム部のそれぞれの両端部から少なくとも前記蛍光灯の収容時における各口金部までスリットを形成し、前記反射フィルム部及び前記透光フィルム部のそれぞれの両端部を前記各口金部側に丸めたことを特徴とする。
【００１１】
請求項４に係る発明は、筒状に形成され内部を蛍光灯収容空間とし、蛍光灯の上部側を覆う反射フィルム部と、前記蛍光灯の下部側を覆う透光フィルム部とを有する蛍光灯カバーであって、前記蛍光灯の収容時において前記蛍光灯の両端かつ両側に対応する前記反射フィルム部と前記透光フィルム部を接合する接合部を設けたことを特徴とする。
【００１２】
請求項５に係る発明は、請求項４に記載の蛍光灯カバーにおいて、前記接合部は、前記反射フィルム部及び前記透光フィルム部の両端に向けて開口幅が狭くなるように傾斜して形成されていることを特徴とする。
【００１３】
請求項６に係る発明は、請求項４に記載の蛍光灯カバーにおいて、前記接合部は、前記反射フィルム部及び前記透光フィルム部の両端にスポット状に形成されていることを特徴とする。
【００１４】
請求項７に係る発明は、請求項３乃至６のいずれか一項に記載の蛍光灯カバーにおいて、前記反射フィルム部及び前記透光フィルム部の長さは、同一であることを特徴とする。
【００１５】
請求項８に係る発明は、請求項１乃至７のいずれか一項に記載の蛍光灯カバーにおいて、前記反射フィルム部の曲率半径を、前記透光フィルム部の曲率半径より大きくしたことを特徴とする。
【００１６】
請求項９に係る発明は、請求項１乃至８のいずれか一項に記載の蛍光灯カバーにおいて、前記反射フィルム部の厚さを、前記透光フィルム部の厚さより厚くしたことを特徴とする。
【００１７】
請求項１０に係る発明は、請求項１乃至９のいずれか一項に記載の蛍光灯カバーにおいて、前記反射フィルム部は、電気絶縁性基材フィルム面に金属箔を積層又は金属蒸発膜を形成し、かつ当該金属面に絶縁性フィルムを被覆したことを特徴とする。
【発明の効果】
【００１８】
本発明によれば、透光フィルム部の両端を蛍光灯の長さよりも延出し、かつ透光フィルム部の両端に蛍光灯の両端面側に折り込まれる折込部を設けるか、反射フィルム部及び透光フィルム部のそれぞれの両端部から少なくとも蛍光灯の収容時におけるの各口金部までスリットを形成し、反射フィルム部及び透光フィルム部のそれぞれの両端部を各口金部側に丸めるか、あるいは蛍光灯の収容時において蛍光灯の両端かつ両側に対応する反射フィルム部と透光フィルム部を接合する接合部を設けたことにより、蛍光灯の両端に対応する蛍光灯カバーの両端の開口空間が狭くなることとなり、構造上、蛍光灯カバーの両端から塵埃や昆虫が侵入するのを未然に防止することができる。
【発明を実施するための最良の形態】
【００１９】
以下、図面を参照して本発明を実施するための最良の形態について説明する。
【００２０】
（第１実施形態）
図１は本発明に係る蛍光灯カバーの第１実施形態を示す斜視図、図２は図１の蛍光灯カバーに蛍光灯を装着した状態を示す概略図、図３は図１の蛍光灯カバーに蛍光灯を装着した状態を示す平面図、図４は図２の反射フィルム部を示す拡大断面図、図５は第１実施形態において反射フィルム部の曲率と透光フィルム部の曲率との関係を示す説明図である。
【００２１】
図１〜図３に示すように、蛍光灯カバーとしてのカバー本体１は、蛍光灯２を収容可能な長尺の帯状に形成されている。蛍光灯２は、カバー本体１の両側縁を相互に近付けるように変形すると開口される蛍光灯収容空間３に収容される。
【００２２】
カバー本体１は、蛍光灯２の上部側を覆う上側フィルムとなる反射フィルム部４と、蛍光灯２の下部側を覆う下側フィルムとなる透光フィルム部５とを接合してその両側縁を長さ方向にシールして接合部６を形成している。ここで、反射フィルム部４及び透光フィルム部５の両側縁の接合方法としては、溶断、超音波シール、振動溶着、赤外線レーザ溶着等が挙げられる。
【００２３】
反射フィルム部４は、蛍光灯２の両端に取り付けられた口金部２ａの内側までの長さを有する。この口金部２ａには、蛍光灯２の内部に配置された図示しない電極と、この電極に電力を供給するための端子２ｂとが設けられている。また、反射フィルム部４は、図４に示すように７５〜１００μｍの電気絶縁性基材フィルム４ａ面にアルミニウム等の金属箔を積層又は金属蒸発膜を形成し、かつその金属面４ｂに基材フィルム４ａより薄い絶縁性フィルム４ｃを被覆して総厚みを５０〜２００μｍとしたものである。すなわち、反射フィルム部４の構造は、片面にアルミニウム蒸着を施した一枚の基材フィルム４ａに対し、そのアルミニウム蒸着層からなる金属面４ｂを覆うように別の絶縁性フィルム４ｃをラミネートした構造である。
【００２４】
一方、透光フィルム部５は、その両端が少なくとも蛍光灯２の口金部２ａの長さよりも延出し、この延出する部分が蛍光灯２の両端面側に折り込まれる折込部５ａとなる。この折込部５ａの長さは、蛍光灯２の両端部を被覆可能な長さであり、通常２０〜３０ｍｍに設定されている。また、透光フィルム部５は、基材フィルムとして５０〜１５０μｍのポリエステルフィルムに予め製膜する際に紫外線吸収剤（主に有機紫外線吸収剤）を内部に添加したものを使用するのが一般的である。この場合、紫外線吸収剤量は、フィルムの厚みに比例するため、厚みが増せば紫外線吸収能力、経時劣化も抑制されるものの、コスト高になる。
【００２５】
なお、透光フィルム部５の別の構造としては、基材フィルムとして薄いポリエステルフィルム（１２〜２５μｍ程度）に、紫外線吸収剤若しくは紫外線拡散剤をインキ化して塗布した後、塗布面を内面として透明なポリエステルフィルム（２５〜７５μｍ）とドライラミネートして積層したものでもよい。このように反射フィルム部４の厚さは、透光フィルム部５の厚さより厚くしている。これにより、カバー本体１としての剛性を高めることができる。
【００２６】
ここで、紫外線拡散剤には、酸化チタン、酸化亜鉛又はシリカが用いられる。また、紫外線吸収剤には、パラジメチルアミノ安息香酸−２−エチルヘキシル、パラメトキシケイ皮酸−２−エチルヘキシル、ウロカニン酸、ウロカニン酸エチル、サリチル酸オクチル、オキシベンゾン（２−ヒドロキシ−４−メトキシベンゾフェノン）、オキシベンゾンスルホン酸、パラアミノ安息香酸（ＰＡＢＡ）、４-tertブチル−４−メトキシベンゾイルメタン、パラジメチルアミノ安息香酸アミル、シノキサート（４−メトキシケイ皮酸−２−エトキシエチル）、ジパラメトキシケイ皮酸モノ−２−エチルヘキサン酸グリセリル、ジイソプロピルケイ皮酸メチル、パラメトキシケイ皮酸イソプロピル−ジイソプロピルケイ皮酸エステル化合物、ヒドロキシメトキシベンゾフェノンスルホン酸、ヒドロキシメトキシベンゾフェノンスルホン酸ナトリウム、ジヒドロキシジメトキシベンゾフェノン、ジヒドロキシジメトキシベンゾフェノンスルホン酸ナトリウム、ジヒドロキシベンゾフェノン、テトラヒドロキシベンゾフェノン等が用いられる。
【００２７】
また、図５に示すように反射フィルム部４の曲率半径Ｒａは、透光フィルム部５の曲率半径Ｒｂより大きくしている。これにより、反射集光した光の焦点距離を長くさせ、照度を向上させることができる。
【００２８】
次に、透光フィルム部５を反射フィルム部４より長く延長させる製造方法としては、積層した反射フィルム（巻き取り）に対して、所定のピッチで窓抜き加工する。その後、透光フィルムと反射フィルムの２種の巻き取りを合わせて二軸製袋機上で同時に繰り出し、流れ方向に溶断シールし、同シール幅中央位置から切断（スリット）と、所定ピッチで流れ方向に断裁することにより加工する。
【００２９】
他の製造方法としては、透光フィルム（巻き取り）の原反幅に対して、予めそれより狭めた原反幅の反射フィルム（巻き取り）を用意する。そして、この２種の巻き取りを合わせて二軸製袋機上で同時に繰り出し、幅方向に溶断シールし、同シール幅中央位置から所定ピッチで流れ方向に断裁することにより加工する。これらのいずれの製造方法も既存の製袋機を利用することで、製造が可能であるため、容易かつ安価に製造することが可能となる。
【００３０】
蛍光灯２の長さに対して反射フィルム部４及び透光フィルム部５の長さの例について説明する。２０Ｗ形の場合、蛍光灯２の長さが５８０ｍｍ、反射フィルム部４の長さが５８０ｍｍ、透光フィルム部５の長さが６４０ｍｍである。また、３０Ｗ形の場合、蛍光灯２の長さが６３０ｍｍ、反射フィルム部４の長さが６３０ｍｍ、透光フィルム部５の長さが６９０ｍｍである。さらに、４０Ｗ形の場合、蛍光灯２の長さが１１９８ｍｍ、反射フィルム部４の長さが１１９８ｍｍ、透光フィルム部５の長さが１２５８ｍｍである。このようにいずれの透光フィルム部５でも、反射フィルム部４より６０ｍｍ長くなっている。この場合の折込部５ａの長さは、３０ｍｍとなる。
【００３１】
以上のように構成したカバー本体１では、使用に際しては、内部の蛍光灯収容空間３に蛍光灯２を差し込んで、蛍光灯２の両端面側に折込部５ａを折り込んだ後、蛍光灯２を図示しない器具に取付け、反射フィルム部４の蛍光灯２外周面における位置を適宜設定する。つまり、反射フィルム部１ａが蛍光灯２の真上を中心に覆うようにするのか、右側又は左側に傾けるのか、光を欲しい方向とは反対側に反射フィルム部４が位置するように向きを設定する。カバー本体１は、両側縁をシールして形成した偏平な形であり、蛍光灯２を収容すると反射フィルム部４と透光フィルム部５とが引き離された状態となり、言い換えれば相対向する各部で蛍光灯２を挟んだ状態になるので、カバー１の向きは安定する。
【００３２】
この状態で蛍光灯２を点灯すると、蛍光灯２から放射される光のうち透光フィルム部５側のものはそのまま、反射フィルム部４側のものはこれに反射され、透光フィルム部５を透過して、該当部分を照らす。この時、透光フィルム部５が紫外線カット機能を有するので、光からは紫外線が遮断される。
【００３３】
このように本実施形態によれば、透光フィルム部５の両端を蛍光灯２の長さよりも延出し、かつ透光フィルム部５の両端に蛍光灯２の両端面側に折り込まれる折込部５ａを設けたことにより、カバー本体１の両端の開口空間が折込部５ａで閉止されることとなり、カバー本体１の両端縁から塵埃や昆虫が侵入するのを構造的に防止することができる。
【００３４】
また、本実施形態によれば、カバー本体１の両端の開口空間が折込部５ａで閉止されることにより、蛍光灯２の保護効果を有するとともに、破損物の飛散防止効果も得られることになる。
【００３５】
（第２実施形態）
図６は本発明に係る蛍光灯カバーの第２実施形態において蛍光灯を装着した状態を示す平面図、図７は図６の側面概略図である。なお、前記第１実施形態と同一又は対応する部分には、同一の符号を用いて異なる構成及び作用のみを説明する。その他の実施形態も同様とする。
【００３６】
図６に示すように、本実施形態における蛍光灯カバーとしてのカバー本体１Ａは、反射フィルム部４と透光フィルム部５の長さが同一である。このカバー本体１Ａへの蛍光灯２の収容時において反射フィルム部４及び透光フィルム部５は、それぞれ両端部から各口金部２ａを越える位置までスリット７がそれぞれ形成されている。すなわち、反射フィルム部４及び透光フィルム部５は、それぞれ両端部から４本のスリット７が形成されることになる。
【００３７】
このように蛍光灯２の収容時において反射フィルム部４及び透光フィルム部５は、それぞれ両端部から各口金部２ａを越える位置までスリット７がそれぞれ形成されているので、反射フィルム部４及び透光フィルム部５のそれぞれのスリット７内側は、各口金部側２ａに丸められ、蛍光灯２の曲率に沿って巻き付くことになり、カバー本体１Ａの両端の開口空間が狭くなり、カバー本体１Ａの両端縁から塵埃や昆虫が侵入するのを未然に防止することができる。
【００３８】
なお、本実施形態スリット７は、両端部から各口金部２ａを越える位置まで形成するようにしたが、これに限らず少なくとも各口金部２ａまで形成すればよい。つまり、反射フィルム部４及び透光フィルム部５のそれぞれのスリット７内側が蛍光灯２の曲率に沿って巻き付くように形成すればよい。
【００３９】
（第３実施形態）
図８は本発明に係る蛍光灯カバーの第３実施形態において蛍光灯を装着した状態を示す平面図である。
【００４０】
図８に示すように、本実施形態における蛍光灯カバーとしてのカバー本体１Ｂは、前記第２実施形態と同様に反射フィルム部４と透光フィルム部５の長さが同一である。このカバー本体１Ｂへの蛍光灯２の収容時において蛍光灯２の両端かつ両側に対応する反射フィルム部４及び透光フィルム部５には、それぞれ両端に向けて開口幅が狭くなるように傾斜する傾斜接合部８が設けられている。これら傾斜接合部８のそれぞれの基端は、反射フィルム部４と透光フィルム部５の両側縁を接合する接合部６に連続して設けられている。
【００４１】
傾斜接合部８は、接合部６と同様に溶断、超音波シール、振動溶着、赤外線レーザ溶着等により接合される。
【００４２】
このように本実施形態によれば、カバー本体１Ｂへの蛍光灯２の収容時において蛍光灯２の両端かつ両側に対応する反射フィルム部４及び透光フィルム部５に、それぞれ両端に向けて開口幅が狭くなるように傾斜する傾斜接合部８を設けたことにより、カバー本体１Ｂの両端の開口空間が狭くなり、カバー本体１Ｂの両端縁から塵埃や昆虫が侵入するのを未然に防止することができる。
【００４３】
（第３実施形態の変形例）
図９は本発明に係る蛍光灯カバーの第３実施形態の変形例において蛍光灯を装着した状態を示す平面図である。
【００４４】
図９に示すように、本変形例における蛍光灯カバーとしてのカバー本体１Ｃは、前記第２、第３実施形態と同様に反射フィルム部４と透光フィルム部５の長さが同一である。このカバー本体１Ｃへの蛍光灯２の収容時において蛍光灯２の両端かつ両側に対応する反射フィルム部４及び透光フィルム部５には、それぞれ局部的に接合する角形のスポット接合部９が計４箇所設けられている。
【００４５】
このように本変形例によれば、カバー本体１Ｃへの蛍光灯２の収容時において蛍光灯２の両端かつ両側に対応する反射フィルム部４及び透光フィルム部５に、それぞれ局部的に接合するスポット接合部９を設けたことにより、カバー本体１Ｃの両端の開口空間が狭くなり、カバー本体１Ｂの両端縁から塵埃や昆虫が侵入するのを未然に防止することができる。
【図面の簡単な説明】
【００４６】
【図１】本発明に係る蛍光灯カバーの第１実施形態を示す斜視図である。
【図２】図１の蛍光灯カバーに蛍光灯を装着した状態を示す概略図である。
【図３】図１の蛍光灯カバーに蛍光灯を装着した状態を示す平面図である。
【図４】図２の反射フィルム部を示す拡大断面図である。
【図５】第１実施形態において反射フィルム部の曲率と透光フィルム部の曲率との関係を示す説明図である。
【図６】本発明に係る蛍光灯カバーの第２実施形態において蛍光灯を装着した状態を示す平面図である。
【図７】図６の側面概略図である。
【図８】本発明に係る蛍光灯カバーの第３実施形態において蛍光灯を装着した状態を示す平面図である。
【図９】本発明に係る蛍光灯カバーの第３実施形態の変形例において蛍光灯を装着した状態を示す平面図である。
【符号の説明】
【００４７】
１，１Ａ，１Ｂ，１Ｃ…カバー本体
２…蛍光灯
３…蛍光灯収容空間
４…反射フィルム部
４ａ…電気絶縁性基材フィルム
４ｂ…金属面
４ｃ…絶縁性フィルム
５…透光フィルム部
５ａ…折込部
６…接合部
７…スリット
８…傾斜接合部
９…スポット接合部
【図１】
2009283356.tif 000003
【図２】
2009283356.tif 000004
【図３】
2009283356.tif 000005
【図４】
2009283356.tif 000006
【図５】
2009283356.tif 000007
【図６】
2009283356.tif 000008
【図７】
2009283356.tif 000009
【図８】
2009283356.tif 000010
【図９】
2009283356.tif 000011